(57)【特許請求の範囲】
【請求項１】
鉄骨構造を構成する梁材の上部に防振部材を介して支持された軽量床材と、前記梁材の上部に長手方向に所定間隔おきに固定されたＬ字形の床留め金物と、を有し、抜け止め金具に挿通したピン部材を前記床留め金物の起立部分に形成された縦長の長孔に挿通するとともに前記軽量床材の側方から当該軽量床材に挿入して前記床留め金物に固定することにより、前記軽量床材が前記梁材に上下動可能に固定され、
前記鉄骨構造の外側を覆う、側面視形状が逆Ｌ字状の壁材の上端部に前記軽量床材側に突出して形成された内側突起部に壁受け金物を長手方向に所定間隔おきに設け、
前記壁受け金物に調整ボルトを下方に突出可能に設け、
前記調整ボルトの位置に対応する前記梁材の上部位置に板状の壁受け台座をそれぞれ設置し、
前記壁受け台座に前記壁受け金物を上下に貫通するピン部材を設け、
前記調整ボルトの先端を前記壁受け台座に当接させることにより前記壁材の荷重を前記梁材で支持したことを特徴とする建築構造。
【請求項２】
前記壁材の内側突起部の内側端は、前記軽量床材の外側端に接続されていることを特徴とする請求項１記載の建築構造。
【請求項３】
前記壁材は複数段に設けられ、上下の壁材は上下動可能に固定されていることを特徴とする請求項２記載の建築構造。
【発明の詳細な説明】
【０００１】
【発明の属する技術分野】
本発明は、鉄骨構造を有する建築構造に係り、特に乾式工法を用いて工期を短縮する建築構造に関する。
【０００２】
【従来の技術】
従来、高層ビルや高層マンションの構築には、鉄骨鉄筋コンクリート構造物が用いられている。構築を行う場合には、配筋後に型枠を取付け、コンクリートの打設、養生を行うといった工程を下側の階から順に繰り返し行う必要がある。
このような構築方法の工期を短縮するため、予め形成された板状の床材や壁材を用意しておき、鉄骨構造のフレームにこれらの床材や壁材を固定して施工する方法も行われている。この場合には、床材と壁材を鉄骨に金物を用いて剛接合した後、隙間にコンクリートの打設を行い養生することによって１階分の施工を行うことができるため、作業の手間と工期を減らすことができる。
【０００３】
【発明が解決しようとする課題】
しかしながら前記鉄骨構造のフレームは、床材に剛接合されているため床材からの振動を拾いやすく遮音能力が低いので、工場や倉庫として用いることができても住宅として用いることが困難である。
そこで本発明が解決しようとする課題は、振動の伝達を防止すると共に短い工期で建築物の構築を行うことができる建築構造を提供することにある。
【０００４】
【課題を解決するための手段】
前記課題を解決するため、本発明の建築構造は、鉄骨構造を構成する梁材の上部に防振部材を介して支持された軽量床材と、前記梁材の上部に長手方向に所定間隔おきに固定されたＬ字形の床留め金物と、を有し、抜け止め金具に挿通したピン部材を前記床留め金物の起立部分に形成された縦長の長孔に挿通するとともに前記軽量床材の側方から当該軽量床材に挿入して前記床留め金物に固定することにより、前記軽量床材が前記梁材に上下動可能に固定され、
前記鉄骨構造の外側を覆う、側面視形状が逆Ｌ字状の壁材の上端部に前記軽量床材側に突出して形成された内側突起部に壁受け金物を長手方向に所定間隔おきに設け、
前記壁受け金物に調整ボルトを下方に突出可能に設け、
前記調整ボルトの位置に対応する前記梁材の上部位置に板状の壁受け台座をそれぞれ設置し、
前記壁受け台座に前記壁受け金物を上下に貫通するピン部材を設け、
前記調整ボルトの先端を前記壁受け台座に当接させることにより前記壁材の荷重を前記梁材で支持している。軽量床材は、例えば、中空微小粒体を骨材として使用した鉄筋コンクリート製のものを使用することができる。防振部材は、例えば板状のゴム材やダンパー部材を用いることができる。
【０００５】
床材の重量が大き過ぎる場合には、ゴム材等が潰れてしまい防振部材としての役目を果たさないが、軽量床材を用いることによって、薄く小型のゴム材等を用いても十分な弾性を確保することができ、軽量床材から伝わる振動を吸収して遮音性能を向上させることができる。ここで、軽量床材とは、例えば、１ｍ２あたりで１００〜２５０ｋｇ程度のものをいう。
【０００６】
また、前記軽量床材を、前記梁材に上下動可能に固定したことによって、軽量床材の水平方向の振動を抑えると共に軽量床材から梁材へ振動が直接伝達されることを防止することができる。
【０００７】
さらに、前記壁材の内側突起部の内側端を、前記軽量床材の外側端に接続することも可能である。かかる構成によって、壁材と軽量床材の間の隙間を小さくして、コンクリート打設による接続作業の代わりに目地材による接続を行うことができ、養生時間を省略して工期を大幅に短縮することができる。
【０００８】
また、前記壁材を複数段に設け、上下の壁材を上下動可能に固定することも可能である。かかる構成によって、例えば地震のような大きな振動によって加えられる大きな圧力を逃がして、壁材の破損を防止することができる。
【０００９】
【発明の実施の形態】
以下、本発明の実施の形態について説明する。
図１は本発明の一実施の形態の建築構造の斜視図、図２は同建築構造の正断面図である。
【００１０】
鉄骨構造１は、立設された図示しない多数の柱材と、これらの柱材の水平方向に両フランジ部を上下に掛け渡して固定されたＨ形鋼からなる多数の梁材２とを有している。
矩形板状に形成された軽量床材３は、例えば１５ｍ２で３０００ｋｇ程度に形成され、その外周端部は、梁材２の上部に防振部材の一例である幅５０ｍｍで厚み５ｍｍ程度のゴム板４を介して支持されている。
【００１１】
梁材２の上部には長手方向に所定間隔おきに床留め金物５が固定されている。床留め金物５は、Ｌ字形の金具で、図示しないピン部材により梁材２に締結固定されている。また、床留め金物５の上部には縦長の長孔６が形成されており、軽量床材３は、抜止め金具７及び長孔６を挿通されるピン部材８により側方から固定されている。かかる構成によって、軽量床材３は床留め金物５に対して側方に移動することはできないが、上下方向には少しの幅で移動可能に固定されている。従って、軽量床材３の上下方向の振動はゴム板４によってほとんど吸収されるので、梁材２には振動が伝達されず、建築構造９の遮音性能を高めることができる。
【００１２】
鉄骨構造１の外側を覆う壁材１０は側面視して逆Ｌ字形に形成され、その上端部の内側（軽量床材３側）に突出している内側突起部１１には、壁受け金物１２が長手方向に所定間隔おきに設けられている。各壁受け金物１２には、２本の調整ボルト１３が下方に突出可能に設けられており、調整ボルト１３の位置に対応する梁材２の上部位置には、板状の壁受け台座１４がそれぞれ設置されている。壁受け台座１４には壁受け金物１２を上下に貫通するピン部材１４ａが設けられており、壁材１０の水平方向位置を規制することができる。調整ボルト１３を締結し、又は緩めて調整ボルト１３の先端レベルを変えることによって、壁材１０と軽量床材３の上面レベルを合わせることができ、また、壁材１０から梁材２に加わる荷重の大きさを変更することができる。
【００１３】
壁材１０の内側突起部１１の内側端と軽量床材３の外側端との間の隙間は非常に小さく設定することができ（例えば、２０〜６０ｍｍ程度）、この隙間にモルタル等の目地詰め材１５を詰めることによって壁材１０と軽量床材３とを接続することができる。なお、壁材１０の内側突起部１１の内側端には、図示しない緩衝材が設けられており、壁材１０と軽量床材３との間の振動の伝達を防止している。
【００１４】
壁材１０の上部には、床留め金物５と同形状の壁留め金物１６が設けられ、上段に設けられた壁材１０の下端部に上下動可能に固定することができる。また、上下に配置された壁材１０の当接面には弾性を有する耐火ガスケット１７が設けられ、壁材１０の接続部から水等が浸入することを防止している。
【００１５】
続いて、建築構造９の施工手順について説明する。
まず、柱材及び梁材２を固定して鉄骨構造１を組み立てる。次いで、各階の梁材２の上部にゴム板４を取付け、ゴム板４の上部に軽量床材３を載置する。そして、床留め金物５を用いて梁材２に対して軽量床材３を上下動可能に固定する。
【００１６】
続いて壁材１０の施工を１番下の階から行う。
まず、壁材１０の内側突起部１１を、調整ボルト１３及び壁受け台座１４を介して梁材２上に設置する。そして、目地詰め材１５で隙間を埋めて１番下の階の施工が完了する。次に、下の階の壁材１０の上端に耐火ガスケット１７を介して別の壁材１０の下端を搭載する。壁材１０の荷重は、内側突起部１１の調整ボルト１３を介して梁材２で受けることになる。
【００１７】
このように、目地詰め材１５で隙間を埋めた後は、すぐに次の階の施工に取りかかることができるが、目地詰め材１５の施工を全ての壁材１０を取り付けた後に行うことも可能である。本実施の形態によれば、コンクリートの打設や養生を行う必要がないので、次の階の施工にすぐにとりかかることができ、例えば、８階立てのビルの構築に従来では１０ヶ月程度の期間がかかっていたのに対し、その半分程度の工期で行うことができる。
【００１８】
【発明の効果】
本発明によれば次の効果を奏する。
（１）防振部材を介して軽量床材を支持するので、薄く小型のゴム材等を用いても十分な弾性を確保することができ、軽量床材から伝わる振動を吸収して遮音性能を向上させることができる。
（２）また、軽量床材を梁材に上下動可能に固定すると、軽量床材の水平方向の振動を抑えると共に軽量床材から梁材へ振動が直接伝達されることを防止できる。
（３）さらに、壁材に内側突起部を形成し、この内側突起部の内側端を軽量床材の外側端に接続すると、その間の隙間が小さくなるので、コンクリート打設による接続作業の代わりに目地材による接続を行うことができ、養生時間を省略して工期を大幅に短縮することができる。
（４）また、上下の壁材を上下動可能に固定することによって、例えば地震のような大きな振動によって加えられる大きな圧力を逃がして、壁材の破損を防止することができる。
【図面の簡単な説明】
【図１】  本発明の一実施の形態の建築構造の斜視図である。
【図２】  同建築構造の正断面図である。
【符号の説明】
１  鉄骨構造
２  梁材
３  軽量床材
４  ゴム板（防振部材）
５  床留め金物
６  長孔
７  抜止め金具
８  ピン部材
９  建築構造
１０  壁材
１１  内側突起部
１２  壁受け金物
１３  調整ボルト
１４  壁受け台座
１４ａ  ピン部材
１５  目地詰め材
１６  壁留め金物
１７  耐火ガスケット
【図１】
0004079613.tif 000002
【図２】
0004079613.tif 000003